(57)【要約】【目的】二つの異なる電波を利用できる構成でその受信電波強度の表示に関して利便性を高めることができる電波受信装置を提供する。【構成】各電波処理部１，２は、電波を受信し、各種の情報、例えば、映像情報（映像信号，映像データ）、音声情報（音声信号，音声データ）、その他の情報（位置情報など）を出力する。切替部４は第１，第２電波処理部１，２の出力信号を入力し、制御部３からの切替指令に従って出力信号を切り替えて表示部６やスピーカ７に供給する。制御部３は各チューナ１１，２１から受信電波の強さ（受信電界強度）を示す電圧値を取得し、どのチューナの受信電波を処理しているかに係わらず、両チューナにおける受信電波の強さを同時に或いはユーザによる操作部５の操作に基づいて切り替えて表示させる制御を行う。【選択図】              図１
2004356703.tif 000002
【特許請求の範囲】
【請求項１】
第１の電波受信部及び第２の電波受信部を備え、二つの異なる電波を受信する電波受信装置において、各電波受信部から受信電波の強さを示す情報を取得する手段と、受信電波の強さを表す表示を行う表示手段と、前記強さを示す情報に基づいて前記表示手段へ供給する表示情報を生成する手段と、処理対象となる電波を受信している電波受信部及び処理対象としていない電波を受信している電波受信部の両受信電波の強さの表示をユーザ操作に基づいて切り替える制御手段と、を備えたことを特徴とする電波受信装置。
【請求項２】
第１の電波受信部及び第２の電波受信部を備え、二つの異なる電波を受信する電波受信装置において、各電波受信部から受信電波の強さを示す情報を取得する手段と、二つの受信電波の強さを同時に表す表示を行う表示手段と、処理対象となる電波を受信している電波受信部及び処理対象としていない電波を受信している電波受信部の両受信電波の強さを示す情報に基づいて前記表示手段へ供給する二つの表示情報を生成する手段と、を備えたことを特徴とする電波受信装置。
【請求項３】
第１の電波受信部及び第２の電波受信部を備え、二つの異なる電波を受信する電波受信装置において、各電波受信部から受信電波の強さを示す情報を取得する手段と、二つの受信電波の強さを同時に表す表示状態及び一つの受信電波の強さを表す表示状態を形成できる表示手段と、前記強さを示す情報に基づいて前記表示手段へ供給する表示情報を生成する手段と、処理対象となる電波を受信している電波受信部の受信電波の強さを表示する第１表示モードと処理対象としていない電波を受信している電波受信部の受信電波の強さを表示する第２表示モードと両受信電波の強さを表示する第３表示モードとをユーザ操作に基づいて切り替える制御手段と、を備えたことを特徴とする電波受信装置。
【請求項４】
請求項１乃至請求項３のいずれかに記載の電波受信装置において、受信電波の強さを表す表示を絵文字により行うように構成されたことを特徴とする電波受信装置。
【請求項５】
請求項４に記載の電波受信装置において、処理対象となる電波を受信している電波受信部の受信電波の強さを表す絵文字と処理対象としていない電波を受信している電波受信部の受信電波の強さを表す絵文字は互いに色が異なることを特徴とする電波受信装置。
【請求項６】
請求項４に記載の電波受信装置において、処理対象となる電波を受信している電波受信部の受信電波の強さを表す絵文字と処理対象としていない電波を受信している電波受信部の受信電波の強さを表す絵文字は互いに形状が異なることを特徴とする電波受信装置。
【発明の詳細な説明】
【０００１】
【産業上の利用分野】
この発明は、二つの異なる電波を受信する電波受信装置に関する。
【０００２】
【従来の技術】
従来より、携帯電話などの電子機器において、受信電波の強さ（或いは、受信レベル、アンテナレベル等とも言われる）を液晶表示部などに表示することが行われている（特許文献１参照）。更に、近年における受信処理回路の小型化や高性能化によって、二つの異なる種類の電波を受信することができる機器を提供することも可能となり、かかる機器においても、受信電波の強さを液晶表示部などに表示することができる。
【０００３】
【特許文献１】
特開平１１−１５０７６５号公報
【０００４】
【発明が解決しようとする課題】
しかしながら、従来の機器は、二つの異なる電波のなかで例えば音声出力等に利用している処理対象受信電波（例えば、第１の動作モードにおける受信電波）の強さを液晶表示部などに表示するものであり、他の受信電波（第２の動作モードにおける受信電波）の強さを知るためには、動作モードを切り替える必要があり、利便性に劣るものであった。
【０００５】
この発明は、上記の事情に鑑み、二つの異なる電波を利用できる構成でその受信電波強度の表示に関して利便性を高めることができる電波受信装置を提供することを目的とする。
【０００６】
【課題を解決するための手段】
この発明の電波受信装置は、上記の課題を解決するために、第１の電波受信部及び第２の電波受信部を備え、二つの異なる電波を受信する電波受信装置において、各電波受信部から受信電波の強さを示す情報を取得する手段と、受信電波の強さを表す表示を行う表示手段と、前記強さを示す情報に基づいて前記表示手段へ供給する表示情報を生成する手段と、処理対象となる電波を受信している電波受信部及び処理対象としていない電波を受信している電波受信部の両受信電波の強さの表示をユーザ操作に基づいて切り替える制御手段と、を備えたことを特徴とする。
【０００７】
上記の構成であれば、処理対象となる電波かどうかに係わらず、ユーザは望む方の受信電波についての受信強度を知ることができる。
【０００８】
また、この発明の電波受信装置は、第１の電波受信部及び第２の電波受信部を備え、二つの異なる電波を受信する電波受信装置において、各電波受信部から受信電波の強さを示す情報を取得する手段と、二つの受信電波の強さを同時に表す表示を行う表示手段と、処理対象となる電波を受信している電波受信部及び処理対象としていない電波を受信している電波受信部の両受信電波の強さを示す情報に基づいて前記表示手段へ供給する二つの表示情報を生成する手段と、を備えたことを特徴とする。
【０００９】
上記の構成であれば、処理対象となる電波かどうかに係わらず、ユーザは両方の受信電波についての受信強度を同時に知ることができる。
【００１０】
また、この発明の電波受信装置は、第１の電波受信部及び第２の電波受信部を備え、二つの異なる電波を受信する電波受信装置において、各電波受信部から受信電波の強さを示す情報を取得する手段と、二つの受信電波の強さを同時に表す表示状態及び一つの受信電波の強さを表す表示状態を形成できる表示手段と、前記強さを示す情報に基づいて前記表示手段へ供給する表示情報を生成する手段と、処理対象となる電波を受信している電波受信部の受信電波の強さを表示する第１表示モードと処理対象としていない電波を受信している電波受信部の受信電波の強さを表示する第２表示モードと両受信電波の強さを表示する第３表示モードとをユーザ操作に基づいて切り替える制御手段と、を備えたことを特徴とする。
【００１１】
上記の構成であれば、処理対象となる電波かどうかに係わらず、ユーザは望む方の受信電波についての受信強度を知ることができ、また、ユーザは両方の受信電波についての受信強度を同時に知ることができる。
【００１２】
受信電波の強さを表す表示を絵文字により行うように構成されていてもよい。また、処理対象となる電波を受信している電波受信部の受信電波の強さを表す絵文字と処理対象としていない電波を受信している電波受信部の受信電波の強さを表す絵文字は互いに色が異なるようにしてもよい。また、処理対象となる電波を受信している電波受信部の受信電波の強さを表す絵文字と処理対象としていない電波を受信している電波受信部の受信電波の強さを表す絵文字は互いに形状が異なるようにしてもよい。
【００１３】
【発明の実施の形態】
以下、この発明の実施形態を図１乃至図８に基づいて説明する。
【００１４】
図１は、この実施形態の電波受信装置１の構成を示したブロック図である。この図１では、第１のアンテナ１Ａ及び第２のアンテナ２Ａを設けた構成を示しているが、二つの電波について共用される一つのアンテナを設ける構成としてもよい。第１の電波処理部１は、第１のチューナ１１と第１の信号処理部１２とから成る。また、第２の電波処理部２は第２のチューナ２１と第２の信号処理部２２とから成る。各電波処理部１，２は、電波を受信し、各種の情報、例えば、映像情報（映像信号，映像データ）、音声情報（音声信号，音声データ）、その他の情報（位置情報など）を出力する。この実施形態では、電波としては、携帯電話用電波、ＰＨＳ用電波、トランシーバー用電波、アナログラジオ放送電波、ディジタルラジオ放送電波、アナログＴＶ放送電波、ディジタルＴＶ放送（ＣＳ，ＢＳ，地上ディジタル放送）電波、ＧＰＳ（グローバルポジショニングシステム）用電波、無線ＬＡＮ用電波などを想定している。
【００１５】
切替部４は第１，第２電波処理部１，２の出力信号を入力し、制御部３からの切替指令に従って前記出力信号を切り替えて表示部（例えば、液晶パネル等から成る）６やスピーカ７に供給する。以下、第１の電波処理部１により出力された信号を処理対象とする動作状態を第１の動作モードといい、第２の電波処理部２により出力された信号を処理対象とする動作状態を第２の動作モードという。
【００１６】
操作部５には、図２に示しているように、各種のキーが設けられている。この実施形態では、「動作モード切替」キー及び「アンテナ表示モード切替」キーを設けている。動作モード切替とは、前述した第１の動作モードと第２の動作モードとの切替であり、当該キーの操作を制御部３が検出してモード切替処理（切替部４の制御等）を実行する。アンテナ表示モード切替については後述する。
【００１７】
制御部３は電波受信装置における全体制御を行う他、この発明にかかる制御として、以下に示すように、受信電波の強さを可視表示する処理を実行する。制御部３は、各チューナ１１，２１から受信電波の強さ（受信電界強度）を示す電圧値を取得し、例えば第１の閾値と第２の閾値と第３の閾値との比較処理を行う。前記電圧値が第１の閾値より大であれば「強」と判定し、第２の閾値より大で第１の閾値より小であれば「中」と判定し、第３の閾値より大で第２の閾値より小であれば「弱」と判定し、第３の閾値より小であれば「圏外」と判定する。この判定処理は、所定間隔で実行される。そして、制御部３は上記判定結果に基づいて、セグメントＯＮ信号を生成する。表示部６には、図２に示しているように、液晶から成る受信電波強度表示部６ａが設けられている。受信電波強度表示部６ａはアンテナを表す逆三角形セグメントと高さが異なる３本の棒状セグメントとから成る。制御部３は、「強」の判定時には、３本の棒状セグメントをＯＮさせる信号を受信電波強度表示部６ａに与え、同様に、「中」のときには２本、「弱」のときには１本とするセグメントＯＮ信号を与える。
【００１８】
図３に受信電波強度表示部６ａにおける各表示モードでの表示形態を示す。同図（ａ）に示す第１の表示モードは、第１の表示位置に使用チューナ（第１の動作モードであれば第１のチューナ１１、第２の動作モードであれば第２のチューナ２１）の受信電波強度を表示するモードであり、同図（ｂ）に示す第２の表示モードは、第１の表示位置に不使用チューナ（第１の動作モードであれば第２のチューナ２１、第２の動作モードであれば第１のチューナ１１）の受信電波強度を表示するモードであり、同図（ｃ）に示す第３の表示モードは、第１の表示位置に使用チューナの受信電波強度を表示すると共に第２の表示位置に不使用チューナの受信電波強度を表示するモードである。制御部３は、「アンテナ表示モード切替」キーの操作を検出し、表示モードを順次に切り替えていく。なお、上記の例では、第１の表示位置において、逆三角形状のセグメントの色変え（液晶ＯＮ／ＯＦＦ）により、第１の表示モードと第２の表示モードの区別化を図っているが、これに限らず、例えば、三角形状のセグメントを設けてこれをＯＮ／ＯＦＦすることで、形状変化による表示モードの区別化を図るようにしてもよい。
【００１９】
次に、チューナ１１，２１における受信電波強度を表示するための処理を図４乃至図８のフローチャートに基づいて説明していく。
【００２０】
制御部３は、電源ＯＮ時、メモリ（図示せず）のクリア、第１，第２電波処理部１，２や表示部６の初期化といった初期化処理を行う（ステップＳ１）。そして、各チューナ１１，２１に電波受信処理を実行させ（ステップＳ２）、更に、各信号処理部１２，２２に信号処理を実行させる（ステップＳ３）。かかる処理により、所定周波数の電波を受信し、復調処理（ディジタル変調された信号については、更に復号処理等）などが実行されて当該電波で伝送される内容が取り出され、映像表示や音声出力が行われることになる。
【００２１】
制御部３は、動作モードを第１の動作モードとし（ステップＳ４）、アンテナ表示モードを第１のアンテナ表示モードとする（ステップＳ５）。そして、制御部３は切替部４に切替指令を与え、動作モードに対応した信号出力状態を形成させる（ステップＳ６）。なお、第１の動作モードでは第１の受信処理部１の出力が切替部４において選択され、第２の動作モードでは第２の受信処理部２の出力が切替部４において選択されることになる。また、制御部３は、アンテナ表示モードに従って第１或いは第２、又は両方のチューナにおける受信電波強度の判定処理を行い、この判定結果に基づいたセグメントＯＮ信号を受信電波強度表示部６ａに出力する（ステップＳ７）。
【００２２】
また、制御部３はキー入力部５からの信号を監視し（ステップＳ８）、キー入力がない場合には（ステップＳ９でＮＯ）、予め設定された受信電波強度（アンテナレベル）の判定時間間隔が経過したかどうかを判定し（ステップＳ１０）、経過したと判断した場合にはステップＳ７に戻り、再びアンテナレベルを表示する。アンテナレベル判定時間間隔が経過していないと判断されたときには、ステップＳ８に戻り、新たなキー入力の有無を監視する。
【００２３】
一方、キー入力があった場合には（ステップＳ９でＹＥＳ）、入力されたキーの種別判定を行う（ステップＳ１２）。入力されたキーがアンテナ表示モード切替キーであったときには、アンテナ表示モードにおける状態値に１を加算する処理を行う（ステップＳ１３）。この加算結果に基づいてアンテナ表示モードを設定し、ステップＳ７に戻る。なお、加算による状態値は、０，１，２の範囲とされ、加算値が３以上となるときには、状態値は０に変換される。なお、状態値０は第１のアンテナ表示モードであり、状態値１は第２のアンテナ表示モードであり、状態値２は第３のアンテナ表示モードである。ステップＳ１２において、入力されたキーが動作モード切替キーであったときには、現在の動作モードが第１のモードであるかどうかを判断する（ステップＳ１６）。第１の動作モードであるときには動作モードを第２の動作モードとし（ステップＳ１７）、第２の動作モードであるときには動作モードを第１の動作モードとし（ステップＳ１８）、ステップＳ６に戻る。また、ステップＳ１２において入力されたキーがアンテナ表示モード切替キー及び動作モード切替キーのいずれでもなかったときには、入力されたキーに応じた処理を行い（ステップＳ１９）、ステップＳ８に戻る。
【００２４】
図６乃至図８は、図４のステップＳ７におけるアンテナレベル表示処理を示したフローチャートである。制御部３は、アンテナ表示モードが第１の表示モードであるかどうかを判断し（ステップＳ２１）、アンテナ表示モードが第１のアンテナ表示モードであるときには、現在の動作モードを判定する（ステップＳ２２）。第１の動作モードであると判断したときには、第１のチューナ１１の受信電波強度の判定処理を行い（ステップＳ２３）、第２の動作モードであると判断したときには、第２のチューナ２１の受信電波強度の判定処理を行う（ステップＳ２４）。そして、制御部３は、受信電波強度表示部６ａの第１の表示位置におけるアンテナ形状のアイコン（セグメント）を第１の色（図３（ａ）参照）とし、前記判定結果に基づいたセグメントＯＮ信号を受信電波強度表示部６ａに与える（ステップＳ２５）。
【００２５】
一方、ステップＳ２１において、アンテナ表示モードが第１のアンテナ表示モードでないと判断されたときには、アンテナ表示モードが第２のアンテナ表示モードであるかどうかを判断し（ステップＳ２６）、第２のアンテナ表示モードあるときには、現在の動作モードを判定する（ステップＳ２７）。第１の動作モードであると判断したときには、第２のチューナ２１の受信電波強度の判定処理を行い（ステップＳ２８）、第２の動作モードであると判断したときには、第１のチューナ１１の受信電波強度の判定処理を行う（ステップＳ２９）。そして、制御部３は、受信電波強度表示部６ａの第１の表示位置におけるアンテナ形状のアイコンを第２の色（図３（ｂ）参照）とし、前記判定結果に基づいたセグメントＯＮ信号を受信電波強度表示部６ａに与える（ステップＳ３０）。
【００２６】
また、ステップＳ２６において、アンテナ表示モードが第２のアンテナ表示モードでないと判断されたときには、現在の動作モードを判定する（ステップＳ３１）。第１の動作モードであると判断したときには、第１のチューナ１１の受信電波強度の判定処理を行い（ステップＳ３２）、第２の動作モードであると判断したときには、第２のチューナの受信電波強度の判定処理を行う（ステップＳ３３）。そして、制御部３は、受信電波強度表示部６ａの第１の表示位置におけるアンテナ形状のアイコンを第１の色（図３（ｃ）参照）とし、前記判定結果に基づいたセグメントＯＮ信号を受信電波強度表示部６ａに与える（ステップＳ３４）。更に、制御部３は、動作モードに基づき（ステップＳ３５）、第１の動作モードであるときには、第２のチューナの受信電波強度の判定処理を行い（ステップＳ３６）、第２の動作モードであるときには、第１のチューナの受信電波強度の判定処理を行う（ステップＳ３７）。そして、制御部３は、受信電波強度表示部６ａの第２の表示位置におけるアンテナ形状のアイコンを第２の色（図３（ｃ）参照）とし、前記判定結果に基づいたセグメントＯＮ信号を受信電波強度表示部６ａに与える（ステップＳ３８）。
【００２７】
以上説明したように、この実施形態によれば、処理対象となる電波かどうかに係わらず、ユーザは望む方の受信電波についての受信強度を知ることができ、また、ユーザは両方の受信電波についての受信強度を同時に知ることもできる。
【００２８】
【発明の効果】
以上説明したように、この発明によれば、二つの異なる電波を利用できる構成でその受信電波強度の表示に関して利便性を高めることができるという効果を奏する。
【図面の簡単な説明】
【図１】この発明の実施形態の電波受信装置の構成を示したブロック図である。
【図２】同図（ａ）（ｂ）（ｃ）は各アンテナレベル表示モードでの表示状態を示した説明図である。
【図３】この発明の実施形態の電波受信装置の外観を示した平面図である。
【図４】制御部の処理内容を示したフローチャートである。
【図５】制御部の処理内容を示したフローチャートである。
【図６】制御部の処理内容を示したフローチャートである。
【図７】制御部の処理内容を示したフローチャートである。
【図８】制御部の処理内容を示したフローチャートである。
【符号の説明】
１    第１の電波処理部
１Ａ  第１のアンテナ
１１  第１のチューナ
１２  第１の信号処理部
２    第２の電波処理部
２Ａ  第２のアンテナ
２１  第２のチューナ
２２  第２の信号処理部
３    制御部
４    切替部
５    キー入力部
６    表示部
６ａ  受信電波強度表示部
【図１】
2004356703.tif 000003
【図２】
2004356703.tif 000004
【図３】
2004356703.tif 000005
【図４】
2004356703.tif 000006
【図５】
2004356703.tif 000007
【図６】
2004356703.tif 000008
【図７】
2004356703.tif 000009
【図８】
2004356703.tif 000010